(57)【特許請求の範囲】
【請求項１】
照射された放射線の線量に応じた電荷を発生して蓄積するセンサ部、及び前記センサ部で発生して蓄積された電荷を読み出して信号配線に出力するスイッチ素子を各々備えた複数の画素と、
前記センサ部で発生した電荷に応じた電気信号が予め定められた照射検出用条件を満たす場合に照射開始を検出する検出手段と、
前記検出手段で放射線の照射開始を検出した後に、前記画素から読み出された電荷に応じた電気信号を前記複数の画素に応じて予め定められた領域毎に取得し、前記予め定められた領域毎に当該電気信号がノイズに起因する電気信号を含むか判断し、ノイズに起因する電気信号を含む場合に、放射線画像と、ノイズに起因する電気信号が含まれると判断した前記予め定められた領域に関する情報と、を対応付けて自装置の内部または外部の少なくとも一方に記憶させる制御を行う制御手段と、
を備えた放射線画像撮影装置。
【請求項２】
前記制御手段で判断されたノイズを除去する所定の画像処理を前記放射線画像に対して実行する画像処理手段を備え、
前記制御手段は、前記画像処理手段による前記画像処理後の前記放射線画像、及び前記画像処理手段による前記画像処理前の前記放射線画像のいずれか一方と、前記ノイズに起因する電気信号が含まれると判断した前記予め定められた領域に関する情報と、を対応付けて記憶させる制御を行う、
請求項１に記載の放射線画像撮影装置。
【請求項３】
前記制御手段は、前記画像処理手段による前記画像処理後の前記放射線画像を表示手段に出力する、請求項２に記載の放射線画像撮影装置。
【請求項４】
前記制御手段は、ノイズに起因する電気信号が含まれると判断した前記予め定められた領域の数が予め定められた閾値未満の場合は、前記放射線画像を出力する、
請求項１から請求項３のいずれか１項に記載の放射線画像撮影装置。
【請求項５】
前記制御手段は、ノイズに起因する電気信号が含まれると判断した前記予め定められた領域の数が前記閾値以上の場合は、前記放射線画像を出力せずに、再撮影を促す指示を出力する、
請求項４に記載の放射線画像撮影装置。
【請求項６】
前記制御手段のノイズの有無の判断結果にかかわらず前記放射線画像を表示手段に表示させるよう設定する設定手段を備え、
前記制御手段は、前記設定手段の設定に基づいて、ノイズの有無にかかわらず前記放射線画像を表示させる場合は、前記放射線画像を当該表示手段に出力する、
請求項１から請求項５のいずれか１項に記載の放射線画像撮影装置。
【請求項７】
前記制御手段は、ノイズに起因する電気信号が含まれると判断した前記予め定められた領域の数及び位置に応じて、前記放射線画像を出力するか否かを判断する、
請求項１から請求項６のいずれか１項に記載の放射線画像撮影装置。
【請求項８】
前記制御手段は、取得した電気信号とノイズの強度検出用条件とに基づいてノイズの強度を検出した結果、ノイズの強度が予め定められた強度より強いことを検出した場合、かつ、当該電気信号とノイズの発生期間検出条件とに基づいてノイズの発生期間を検出した結果、ノイズの発生期間が予め定められた期間より長いことを検出した場合は、放射線を照射する放射線照射装置に放射線の照射を停止させる指示を出力する、
請求項１から請求項７のいずれか１項に記載の放射線画像撮影装置。
【請求項９】
前記制御手段は、取得した電気信号のピーク間の時間に基づいて、当該電気信号がノイズに起因する電気信号を含むか判断する、
請求項１から請求項８のいずれか１項に記載の放射線画像撮影装置。
【請求項１０】
前記センサ部から読み出された電荷に応じた電気信号をサンプリングするアンプを備え、
前記制御手段は、前記アンプでサンプリングされた電気信号を取得し、当該電気信号がノイズに起因する電気信号を含むか判断した判断結果に基づいて、前記放射線画像を出力しない場合は、前記センサ部に蓄積された電荷をリセットさせた後、前記アンプの駆動を開始させる、
請求項１から請求項９のいずれか１項に記載の放射線画像撮影装置。
【請求項１１】
前記制御手段として、コンピュータを機能させるための放射線画像撮影装置の制御プログラムが自装置の外部から供給される、
請求項１から請求項１０のいずれか１項に記載の放射線画像撮影装置。
【請求項１２】
放射線照射装置と、
前記放射線照射装置から出力された放射線により放射線画像を撮影する前記請求項１から前記請求項１１のいずれか１項に記載の放射線画像撮影装置と、
を備えた放射線画像撮影システム。
【請求項１３】
前記請求項１から前記請求項１１のいずれか１項に記載の放射線画像撮影装置の制御手段として、コンピュータを機能させるための放射線画像撮影装置の制御プログラム。
【請求項１４】
照射された放射線の線量に応じた電荷を発生して蓄積するセンサ部、及び前記センサ部で発生して蓄積された電荷を読み出して信号配線に出力するスイッチ素子を各々備えた複数の画素を備えた放射線画像撮影装置により放射線画像を撮影する際に、
前記センサ部で発生した電荷に応じた電気信号が予め定められた照射検出用条件を満たす場合に照射開始を検出する検出工程と、
前記検出工程で放射線の照射開始を検出した後に、前記画素から読み出された電荷に応じた電気信号を前記複数の画素に応じて予め定められた領域毎に取得し、前記予め定められた領域毎に当該電気信号がノイズに起因する電気信号を含むか判断し、ノイズに起因する電気信号を含む場合に、放射線画像と、ノイズに起因する電気信号が含まれると判断した前記予め定められた領域に関する情報と、を対応付けて自装置の内部または外部の少なくとも一方に記憶させる制御を行う制御工程と、
を備えた放射線画像撮影装置の制御方法。
【発明の詳細な説明】
【技術分野】
【０００１】
本発明は、放射線画像撮影装置、放射線画像撮影システム、放射線画像撮影装置の制御プログラム、及び放射線画像撮影装置の制御方法に係り、特に照射された放射線に応じた放射線画像の撮影に用いられる放射線画像撮影装置、放射線画像撮影システム、放射線画像撮影装置の制御プログラム、及び放射線画像撮影装置の制御方法に関する。
【背景技術】
【０００２】
従来、医療診断等を目的とした放射線撮影を行う放射線画像撮影装置が知られている。当該放射線画像撮影装置は、放射線照射装置から照射され、被検体を透過した放射線を検出して放射線画像を撮影する。当該放射線画像撮影装置は、照射された放射線に応じて発生した電荷を収集して読み出すことにより放射線画像の撮影を行う。このような放射線画像撮影装置としては、いわゆるカセッテ等のＦＰＤ（Ｆｌａｔ  Ｐａｎｅｌ  Ｄｅｔｅｃｔｏｒ）パネルが挙げられる。
【０００３】
このような放射線画像撮影装置として、放射線または、放射線が変換された光が照射されることにより検知した放射線に応じて電荷を発生する光電変換素子等による放射線検知素子と、当該放射線検知素子で発生した電荷を読み出すスイッチ素子と、を備えると共に、当該スイッチ素子から読み出された電荷に基づいて、放射線の照射（照射の開始や、停止等）を検出する検出部を備えたものが知られている。例えば、特許文献１には、Ｘ線の発生タイミングとの同期を不要とし、Ｘ線を検出する検出器の駆動状態を報知する報知部を備えたＸ線撮影装置が記載されている。
【０００４】
このような放射線画像撮影装置により放射線画像の撮影を行う場合に、衝撃や電磁波等の外乱ノイズ等に起因して、電気信号が発生してしまい、当該電気信号により、撮影された放射線画像に異常が生じる場合がある。
【０００５】
そのため、ノイズの有無を検出する技術がある。例えば特許文献２には、放射線を検出する放射線検出部（画素）とは別個にノイズ検出部を設け、電気信号に基づいてノイズが無いと判断した場合に、放射線検出部（画素）によって発生した電荷を読み出して、放射線画像の撮影を行う技術が記載されている。
【先行技術文献】
【特許文献】
【０００６】
【特許文献１】特開２０１０−２６４２５０号公報
【特許文献２】特開２００４−２４６８３号公報
【発明の概要】
【発明が解決しようとする課題】
【０００７】
しかしながら、上記従来の技術では、ノイズの発生と放射線の曝射とのタイミングが近い場合は、ノイズの有無を誤検出する懸念がある。また、このような場合にノイズの発生がユーザに適切に報知されない懸念がある。
【０００８】
本発明は、上記問題点を解決するために成されたものであり、放射線画像の撮影の際にノイズの有無を適切に検出して報知することができる、放射線画像撮影装置、放射線画像撮影システム、放射線画像撮影装置の制御プログラム、及び放射線画像撮影の制御方法を提供することを目的とする。
【課題を解決するための手段】
【０００９】
上記目的を達成するために、本発明の放射線画像撮影装置は、照射された放射線の線量に応じた電荷を発生して蓄積するセンサ部、及びセンサ部で発生して蓄積された電荷を読み出して信号配線に出力するスイッチ素子を各々備えた複数の画素と、センサ部で発生した電荷に応じた電気信号が予め定められた照射検出用条件を満たす場合に照射開始を検出する検出手段と、検出手段で放射線の照射開始を検出した後に、画素から読み出された電荷に応じた電気信号を複数の画素に応じて予め定められた領域毎に取得し、予め定められた領域毎に電気信号がノイズに起因する電気信号を含むか判断し、ノイズに起因する電気信号を含む場合に、放射線画像と、ノイズに起因する電気信号が含まれると判断した予め定められた領域に関する情報と、を対応付けて自装置の内部または外部の少なくとも一方に記憶させる制御を行う制御手段と、を備える。
【００１０】
また、本発明の放射線画像撮影装置は、制御手段で判断されたノイズを除去する所定の画像処理を放射線画像に対して実行する画像処理手段を備え、制御手段は、画像処理手段による画像処理後の放射線画像、及び画像処理手段による画像処理前の放射線画像のいずれか一方と、ノイズに起因する電気信号が含まれると判断した予め定められた領域に関する情報と、を対応付けて記憶させる制御を行うようにしてもよい。
【００１１】
また、本発明の放射線画像撮影装置の制御手段は、画像処理手段による画像処理後の放射線画像を表示手段に出力するようにしてもよい。
【００１２】
また、本発明の放射線画像撮影装置の制御手段は、ノイズに起因する電気信号が含まれると判断した予め定められた領域の数が予め定められた閾値未満の場合は、放射線画像を出力するようにしてもよい。
【００１３】
また、本発明の放射線画像撮影装置の制御手段は、ノイズに起因する電気信号が含まれると判断した予め定められた領域の数が閾値以上の場合は、放射線画像を出力せずに、再撮影を促す指示を出力するようにしてもよい。
【００１４】
また、本発明の放射線画像撮影装置は、制御手段のノイズの有無の判断結果にかかわらず放射線画像を表示手段に表示させるよう設定する設定手段を備え、制御手段は、設定手段の設定に基づいて、ノイズの有無にかかわらず放射線画像を表示させる場合は、放射線画像を表示手段に出力するようにしてもよい。
【００１５】
また、本発明の放射線画像撮影装置の制御手段は、ノイズに起因する電気信号が含まれると判断した予め定められた領域の数及び位置に応じて、放射線画像を出力するか否かを判断するようにしてもよい。
【００１６】
また、本発明の放射線画像撮影装置の制御手段は、取得した電気信号とノイズの強度検出用条件とに基づいてノイズの強度を検出した結果、ノイズの強度が予め定められた強度より強いことを検出した場合、かつ、電気信号とノイズの発生期間検出条件とに基づいてノイズの発生期間を検出した結果、ノイズの発生期間が予め定められた期間より長いことを検出した場合は、放射線を照射する放射線照射装置に放射線の照射を停止させる指示を出力するようにしてもよい。
【００１７】
また、本発明の放射線画像撮影装置の制御手段は、取得した電気信号のピーク間の時間に基づいて、電気信号がノイズに起因する電気信号を含むか判断するようにしてもよい。
【００１８】
また、本発明の放射線画像撮影装置は、センサ部から読み出された電荷に応じた電気信号をサンプリングするアンプを備え、制御手段は、アンプでサンプリングされた電気信号を取得し、電気信号がノイズに起因する電気信号を含むか判断した判断結果に基づいて、放射線画像を出力しない場合は、センサ部に蓄積された電荷をリセットさせた後、アンプの駆動を開始させるようにしてもよい。
【００１９】
また、本発明の放射線画像撮影装置の制御手段として、コンピュータを機能させるための放射線画像撮影装置の制御プログラムが自装置の外部から供給されてもよい。
【００２０】
本発明の放射線画像撮影システムは、放射線照射装置と、放射線照射装置から出力された放射線により放射線画像を撮影する本発明の放射線画像撮影装置と、を備える。
【００２１】
本発明の放射線画像撮影装置の制御プログラムは、本発明の放射線画像撮影装置の制御手段として、コンピュータを機能させるためのものである。
【００２２】
本発明の放射線画像撮影装置の制御方法は、照射された放射線の線量に応じた電荷を発生して蓄積するセンサ部、及びセンサ部で発生して蓄積された電荷を読み出して信号配線に出力するスイッチ素子を各々備えた複数の画素を備えた放射線画像撮影装置により放射線画像を撮影する際に、センサ部で発生した電荷に応じた電気信号が予め定められた照射検出用条件を満たす場合に照射開始を検出する検出工程と、検出工程で放射線の照射開始を検出した後に、画素から読み出された電荷に応じた電気信号を複数の画素に応じて予め定められた領域毎に取得し、予め定められた領域毎に電気信号がノイズに起因する電気信号を含むか判断し、ノイズに起因する電気信号を含む場合に、放射線画像と、ノイズに起因する電気信号が含まれると判断した予め定められた領域に関する情報と、を対応付けて自装置の内部または外部の少なくとも一方に記憶させる制御を行う制御工程と、を備える。
【発明の効果】
【００２３】
以上説明したように、放射線画像の撮影の際にノイズの有無を適切に検出して報知することができる、という効果が得られる。
【図面の簡単な説明】
【００２４】
【図１】第１の実施の形態に係る放射線画像撮影システムの一例の概略構成を示す概略構成図である。
【図２】第１の実施の形態に係る放射線画像検出器の全体構成の一例を示す構成図である。
【図３】第１の実施の形態に係る放射線検出器の外観を説明するための説明図である。
【図４】第１の実施の形態に係る放射線検出器の構成の一例を示す平面図である。
【図５】第１の実施の形態に係る放射線検出器の一例の線断面図である。
【図６】第１の実施の形態に係る放射線検出器の一例の線断面図である。
【図７】第１の実施の形態に係る放射線画像撮影装置における、放射線画像の撮影処理の一例のフローチャートである。
【図８】照射された放射線に応じた電気信号を説明するための説明図である。
【図９】ノイズを説明するための説明図であり、（Ａ）は、交流ノイズを示し、（Ｂ）は矩形ノイズを示している。
【図１０】第１の実施の形態に係る放射線画像撮影装置における、信号解析処理の一例のフローチャートである。
【図１１】第１の実施の形態で行われる微分処理が行われる前の強度の時間変化のプロファイルを説明するための説明図であり、（Ａ）は、ノイズが含まれていない場合を示し、（Ｂ）は、強度が強く、かつ発生期間が短い交流ノイズが発生した場合を示し、（Ｃ）は、強度が強く、かつ発生期間が長い交流ノイズが発生した場合を示している。
【図１２】第１の実施の形態で行われる微分処理が行われた後の強度の時間変化のプロファイルを説明するための説明図であり、（Ａ）は、ノイズが含まれていない場合を示し、（Ｂ）は、強度が強く、かつ発生期間が短い交流ノイズが発生した場合を示し、（Ｃ）は、強度が強く、かつ発生期間が長い交流ノイズが発生した場合を示している。
【図１３】本実施の形態のノイズの判定の具体的一例を説明するための説明図である。
【図１４】第１の実施の形態に係る放射線画像撮影装置における、信号解析処理の一例のフローチャートである。
【図１５】第２の実施の形態で行われる微分処理が行われた後の強度の時間変化のプロファイルを説明するための説明図であり、（Ａ）は、ノイズが含まれていない場合を示し、（Ｂ）は、強度が強く、かつ発生期間が短い交流ノイズが発生した場合を示し、（Ｃ）は、強度が強く、かつ発生期間が長い交流ノイズが発生した場合を示している。
【図１６】第３の実施の形態に係る放射線画像検出器の全体構成の一例を示す構成図である。
【図１７】第３の実施の形態に係る放射線画像撮影装置における、放射線画像の撮影処理の一例のフローチャートである。
【図１８】第３の実施の形態に係る放射線画像撮影装置における、信号解析処理の一例のフローチャートである。
【図１９】第３の実施の形態に係る放射線検出器の外観を説明するための説明図である。
【図２０】第３の実施の形態に係る放射線画像撮影装置の制御装置における、放射線画像の撮画像表示理の一例のフローチャートである。
【図２１】第３の実施の形態に係る放射線画像の表示の具体的一例を説明するための説明図である。
【図２２】第４の実施の形態に係る放射線画像撮影装置における、放射線画像の撮影処理の一例のフローチャートである。
【図２３】第５の実施の形態に係る放射線画像検出器の全体構成の一例を示す構成図である。
【図２４】第５の実施の形態に係る放射線画像検出器の全体構成のその他の一例を示す構成図である。
【図２５】第５の実施の形態に係る放射線画像撮影装置における、放射線の照射開始検出処理の一例のフローチャートである。
【図２６】第６の実施の形態に係る放射線画像検出器の全体構成の一例を示す構成図である。
【図２７】第６の実施の形態に係る放射線画像撮影装置における、放射線の照射開始検出処理の一例のフローチャートである。
【図２８】第７の実施の形態に係る放射線画像検出器の全体構成の一例を示す構成図である。
【図２９】第７の実施の形態に係る放射線画像撮影装置における、放射線画像の撮影処理の一例のフローチャートである。
【発明を実施するための形態】
【００２５】
以下、各図面を参照して本実施の形態の一例について説明する。
【００２６】
［第１の実施の形態］
まず、本実施の形態の放射線画像撮影装置を用いた放射線画像撮影システムの概略構成について説明する。図１は、本実施の形態の放射線画像撮影システムの一例の概略構成図である。
【００２７】
放射線画像撮影システム２００は、放射線（例えばエックス線（Ｘ線）等）を被検体２０６に照射する放射線照射装置２０４と、放射線画像撮影装置２０１と、を備えている。放射線画像撮影装置２０１は、放射線照射装置２０４から照射され、被検体２０６を透過した放射線を検出する放射線検出器１０を備えた放射線画像検出器１００と、放射線画像の撮影を指示すると共に、放射線画像検出器１００から放射画像を取得する制御装置２０２と、を備えて構成されている。制御装置２０２の制御に基づいたタイミングで、放射線照射装置２０４から照射され撮影位置に位置している被検体２０６を透過することで画像情報を担持した放射線は放射線画像検出器１００に照射される。
【００２８】
制御装置２０２は、制御部２１０、表示部２１２、及び報知部２１３を備えて構成されている。制御部２１０は、制御装置２０２及び放射線画像撮影装置２０１全体を制御する機能を有しており、マイクロコンピュータによって構成されている。制御部２１０は、ＣＰＵ（中央処理装置）、ＲＯＭおよびＲＡＭ、フラッシュメモリ等からなる不揮発性の記憶部を備えている。制御部２１０は、ＲＯＭに記憶されたプログラムをＣＰＵで実行することにより、上述の制御を行う。表示部２１２は、例えば、ディスプレイや液晶等であり、撮影された放射線画像を表示したり、放射線画像の撮影に関する情報（詳細を後述するノイズに関する情報等を含む）等を表示したりする機能を有するものであれば、特に限定されない。報知部２１３は、詳細を後述するが放射線画像検出器１００ノイズを検出した場合にその旨をユーザに対して報知する機能を有するものであり、例えば、スピーカや、表示部２１２とは別個に設けられた表示装置、ＬＥＤ等が挙げられるが、特に限定されない。また、制御装置２０２において、ノイズの検出に関する情報を表示部２１２のみに表示させる場合は、報知部２１３は、設けなくてもよい。
【００２９】
次に、本実施の形態の放射線画像検出器１００の概略構成について説明する。本実施の形態に係る放射線画像検出器１００の全体構成の一例を示す構成図を図２に示す。本実施の形態では、Ｘ線等の放射線を一旦光に変換し、変換した光を電荷に変換する間接変換方式の放射線検出器１０に本発明を適用した場合について説明する。本実施の形態では、放射線画像検出器１００は、間接変換方式の放射線検出器１０を備えて構成されている。なお、図２では、放射線を光に変換するシンチレータは省略している。
【００３０】
放射線検出器１０には、光を受けて電荷を発生し、発生した電荷を蓄積するセンサ部１０３と、センサ部１０３に蓄積された電荷を読み出すためのスイッチ素子であるＴＦＴスイッチ４と、を含んで構成される画素２０が複数、マトリックス状に配置されている。本実施の形態では、シンチレータによって変換された光が照射されることにより、センサ部１０３で電荷が発生する。
【００３１】
画素２０は、一方向（図２の走査線方向、以下「行方向」ともいう）及び当該行方向に対する交差方向（図２の信号配線方向、以下「列方向」ともいう）にマトリクス状に複数配置されている。図２では、画素２０の配列を簡略化して示しているが、例えば、画素２０は行方向及び列方向に１０２４×１０２４個配置されている。
【００３２】
本実施の形態では、複数の画素２０のうち、放射線画像撮影用の画素２０Ａと放射線検知用の画素２０Ｂが予め定められている。図１では、放射線検知用の画素２０Ｂを破線で囲んで示している。放射線画像撮影用の画素２０Ａは、放射線を検出して放射線が示す画像を生成するために用いられ、放射線検知用の画素２０Ｂは、放射線を検知するために用いられる画素であり、ＴＦＴスイッチ４のオン／オフに係わらず、電荷を出力する画素である（詳細後述）。
【００３３】
また、放射線検出器１０には、基板１（図４参照）上に、ＴＦＴスイッチ４をオン／オフするための複数の走査配線１０１と、上記センサ部１０３に蓄積された電荷を読み出すための複数の信号配線３と、が互いに交差して設けられている。本実施の形態では、一方向の各画素列に信号配線３が１本ずつ設けられ、交差方向の各画素列に走査配線１０１が１本ずつ設けられており、例えば、画素２０が行向及び列方向に１０２４×１０２４個配置されている場合、信号配線３及び走査配線１０１は１０２４本ずつ設けられている。
【００３４】
さらに、放射線検出器１０には、各信号配線３と並列にバイアス線２５が設けられている。バイアス線２５は、一端及び他端が並列に接続されており、一端が所定のバイアス電圧を供給する電源１１０に接続されている。センサ部１０３はバイアス線２５に接続されており、バイアス線２５を介してバイアス電圧が印加されている。
【００３５】
走査配線１０１には、各ＴＦＴスイッチ４をスイッチングするための駆動信号が流れる。このように駆動信号が各走査配線１０１に流れることによって、各ＴＦＴスイッチ４がスイッチングされる。
【００３６】
信号配線３には、各画素２０のＴＦＴスイッチ４がオン状態の場合に、各画素２０に蓄積された電荷に応じた電気信号が流れる。より具体的には、各信号配線３には、当該信号配線３に接続された画素２０の何れかのＴＦＴスイッチ４がオンされることにより蓄積された電荷量に応じた電気信号が流れる。
【００３７】
各信号配線３には、各信号配線３に流れ出した電気信号を検出する信号検出回路１０５が接続されている。また、各走査配線１０１には、各走査配線１０１にＴＦＴスイッチ４をオン／オフするための駆動信号を出力する走査配線駆動回路１０４が接続されている。図２では、信号検出回路１０５及び走査配線駆動回路１０４を１つに簡略化して示しているが、例えば、信号検出回路１０５及び走査配線駆動回路１０４を複数設けて所定本（例えば、２５６本）毎に信号配線３または走査配線１０１を接続する。例えば、信号配線３及び走査配線１０１が１０２４本ずつ設けられている場合、走査配線駆動回路１０４を４個設けて２５６本ずつ走査配線１０１を接続し、信号検出回路１０５も４個設けて２５６本ずつ信号配線３を接続する。
【００３８】
信号検出回路１０５は、各信号配線３毎に、入力される電気信号を増幅する増幅回路５０を内蔵している。信号検出回路１０５では、各信号配線３より入力される電気信号を増幅回路５０により増幅して、Ａ／Ｄ（アナログ／デジタル）変換回路５４に出力する。
【００３９】
増幅回路５０は、チャージアンプ回路で構成されており、オペアンプ等のアンプ５２と、アンプ５２に並列に接続されたコンデンサＣと、アンプ５２に並列に接続された電荷リセット用のスイッチＳＷ１と、を備えて構成されている。
【００４０】
増幅回路５０では、電荷リセット用のスイッチＳＷ１がオフの状態で画素２０のＴＦＴスイッチ４により電荷（電気信号）が読み出され、コンデンサＣにＴＦＴスイッチ４により読み出された電荷が蓄積され、蓄積される電荷量に応じてアンプ５２から出力される電圧値が増加するようになっている。
【００４１】
また、制御部１０６は、電荷リセット用スイッチＳＷ１に電荷リセット信号を印加して電荷リセット用のスイッチＳＷ１のオン／オフを制御するようになっている。なお、電荷リセット用のスイッチＳＷ１がオン状態とされると、アンプ５２の入力側と出力側とが短絡され、コンデンサＣの電荷が放電される。
【００４２】
Ａ／Ｄ変換回路５４は、信号検出回路１０５のＳ／Ｈ（サンプルホールド）スイッチＳＷがオン状態において、増幅回路５０から入力されたアナログ信号である電気信号をデジタル信号に変換する機能を有するものである。Ａ／Ｄ変換回路５４は、デジタル信号に変換した電気信号を制御部１０６に順次出力する。
【００４３】
なお、本実施の形態のＡ／Ｄ変換回路５４には、信号検出回路１０５に備えられた全ての増幅回路５０から出力された電気信号が入力される。すなわち、本実施の形態の信号検出回路１０５は、増幅回路５０（信号配線３）の数にかかわらず、１つのＡ／Ｄ変換回路５４を備えている。
【００４４】
この信号検出回路１０５及び走査配線駆動回路１０４には、制御部１０６が接続されている。本実施の形態の制御部１０６は、マイクロコンピュータによって構成されており、ＣＰＵ（中央処理装置）、ＲＯＭおよびＲＡＭ、フラッシュメモリ等からなる不揮発性の記憶部を備えている。制御部１０６は、ＲＯＭに記憶されたプログラムをＣＰＵで実行することにより、放射線画像の撮影のための制御を行う。
【００４５】
本実施の形態の制御部１０６は、信号検出回路１０５において変換されたデジタル信号に対してノイズ除去などの所定の処理を施すとともに、放射線の照射開始を検出して、検出したタイミングに基づいて、信号検出回路１０５に対して信号検出のタイミングを示す制御信号を出力し、走査配線駆動回路１０４に対して駆動信号の出力のタイミングを示す制御信号を出力する機能を有している。また、本実施の形態の制御部１０６は、放射線の照射開始を検出した後に、画素２０Ｂから読み出された電気信号に基づいて、当該電気信号が、ノイズに起因するものか放射線の照射に起因するものかを判定する機能を有している。
【００４６】
また、制御部１０６は、上記所定の処理が施された画像データに対して、各放射線検知用の画素２０Ｂの画像データを補間する処理（補間処理）を行って、照射された放射線が示す画像を生成する。すなわち、制御部１０６は、各放射線検知用の画素２０Ｂの画像データを、上記所定の処理が施された画像データに基づいて補間することで、照射された放射線が示す放射線画像を生成する。
【００４７】
また、本実施の形態の放射線画像検出器１００は、報知部１０８を備えている。報知部１０８は、制御部１０６がノイズに起因する電気信号であると判定した場合に、その旨を放射線画像の撮影を行うユーザに対して、報知する機能を有するものである。報知部１０８の構成は特に限定されないが、例えば、可視表示を行うためのＬＥＤや音で報知するためのスピーカ等が挙げられる。
【００４８】
本実施の形態の放射線画像検出器１００は、上述した、放射線検出器１０、Ａ／Ｄ変換回路５４、走査配線駆動回路１０４、制御部１０６、信号検出回路１０５、及びバイアス電源１１０等が筐体１２０内に収納されている。図３に、筐体１２０の外観を示す。図３（Ａ）には、報知部１０８がＬＥＤである場合の具体的一例を示し、（Ｂ）には、報知部１０８がスピーカである場合の具体的一例を示している。このように報知部１０８は、筐体１２０の、放射線が照射されない位置（例えば側面等）であり、かつ、ユーザが認識しやすい位置に設けられている。
【００４９】
図４には、本実施形態に係る間接変換方式の放射線検出器１０の構造を示す平面図が示されており、図５には、図４の放射線画像撮影用の画素２０ＡのＡ−Ａ線断面図が示されており、図６には、図４の放射線検知用の画素２０ＢのＢ−Ｂ線断面図が示されている。
【００５０】
図５に示すように、放射線検出器１０の画素２０Ａは、無アルカリガラス等からなる絶縁性の基板１上に、走査配線１０１（図４参照）、ゲート電極２が形成されており、走査配線１０１とゲート電極２は接続されている（図４参照）。この走査配線１０１、ゲート電極２が形成された配線層（以下、この配線層を「第１信号配線層」ともいう）は、Ａｌ若しくはＣｕ、又はＡｌ若しくはＣｕを主体とした積層膜を用いて形成されているが、これらに限定されるものではない。
【００５１】
この第１信号配線層上には、一面に絶縁膜１５が形成されており、ゲート電極２上に位置する部位がＴＦＴスイッチ４におけるゲート絶縁膜として作用する。この絶縁膜１５は、例えば、ＳｉＮＸ等からなっており、例えば、ＣＶＤ（Ｃｈｅｍｉｃａｌ  Ｖａｐｏｒ  Ｄｅｐｏｓｉｔｉｏｎ）成膜により形成される。
【００５２】
絶縁膜１５上のゲート電極２上には、半導体活性層８が島状に形成されている。この半導体活性層８は、ＴＦＴスイッチ４のチャネル部であり、例えば、アモルファスシリコン膜からなる。
【００５３】
これらの上層には、ソース電極９、及びドレイン電極１３が形成されている。このソース電極９及びドレイン電極１３が形成された配線層には、ソース電極９、ドレイン電極１３とともに、信号配線３が形成されている。ソース電極９は信号配線３に接続されている（図４参照。）。ソース電極９、ドレイン電極１３、及び信号配線３が形成された配線層（以下、この配線層を「第２信号配線層」ともいう）は、Ａｌ若しくはＣｕ、又はＡｌ若しくはＣｕを主体とした積層膜が用いて形成されるが、これらに限定されるものではない。当該ソース電極９及びドレイン電極１３と半導体活性層８との間には不純物添加アモルファスシリコン等による不純物添加半導体層（図示省略）が形成されている。これらによりスイッチング用のＴＦＴスイッチ４が構成される。なお、ＴＦＴスイッチ４は後述する下部電極１１により収集、蓄積される電荷の極性によってソース電極９とドレイン電極１３が逆となる。
【００５４】
これら第２信号配線層を覆い、基板１上の画素２０が設けられた領域のほぼ全面（ほぼ全領域）には、ＴＦＴスイッチ４や信号配線３を保護するために、ＴＦＴ保護膜層３０が形成されている。このＴＦＴ保護膜層３０は、例えば、ＳｉＮＸ等からなっており、例えば、ＣＶＤ成膜により形成される。
【００５５】
このＴＦＴ保護膜層３０上には、塗布型の層間絶縁膜１２が形成されている。この層間絶縁膜１２は、低誘電率（比誘電率εｒ＝２〜４）の感光性の有機材料（例えば、ポジ型感光性アクリル系樹脂：メタクリル酸とグリシジルメタクリレートとの共重合体からなるベースポリマーに、ナフトキノンジアジド系ポジ型感光剤を混合した材料など）により１〜４μｍの膜厚で形成されている。
【００５６】
本実施の形態に係る放射線検出器１０では、この層間絶縁膜１２によって層間絶縁膜１２上層と下層に配置される金属間の容量を低く抑えている。また、一般的にこのような材料は平坦化膜としての機能も有しており、下層の段差が平坦化される効果も有する。本実施の形態に係る放射線検出器１０では、この層間絶縁膜１２及びＴＦＴ保護膜層３０のドレイン電極１３と対向する位置にコンタクトホール１７が形成されている。
【００５７】
層間絶縁膜１２上には、コンタクトホール１７を埋めつつ、画素領域を覆うようにセンサ部１０３の下部電極１１が形成されており、この下部電極１１は、ＴＦＴスイッチ４のドレイン電極１３と接続されている。この下部電極１１は、後述する半導体層２１が１μｍ前後と厚い場合には導電性があれば材料に制限がほとんどない。このため、Ａｌ系材料、ＩＴＯなど導電性の金属を用いて形成すれば問題ない。
【００５８】
一方、半導体層２１の膜厚が薄い場合（０．２〜０．５μｍ前後）、半導体層２１で光が吸収が十分でないため、ＴＦＴスイッチ４への光照射によるリーク電流の増加を防ぐため、遮光性メタルを主体とする合金、若しくは積層膜とすることが好ましい。
【００５９】
下部電極１１上には、フォトダイオードとして機能する半導体層２１が形成されている。本実施の形態では、半導体層２１として、ｎ＋層、ｉ層、ｐ＋層（ｎ＋アモルファスシリコン、アモルファスシリコン、ｐ＋アモルファスシリコン）を積層したＰＩＮ構造のフォトダイオードを採用しており、下層からｎ＋層２１Ａ、ｉ層２１Ｂ、ｐ＋層２１Ｃを順に積層して形成する。ｉ層２１Ｂは、光が照射されることにより電荷（一対の自由電子と自由正孔）が発生する。ｎ＋層２１Ａ及びｐ＋層２１Ｃは、コンタクト層として機能し、下部電極１１及び後述する上部電極２２とｉ層２１Ｂをと電気的に接続する。
【００６０】
各半導体層２１上には、それぞれ個別に上部電極２２が形成されている。この上部電極２２には、例えば、ＩＴＯやＩＺＯ（酸化亜鉛インジウム）などの光透過性の高い材料を用いている。本実施の形態に係る放射線検出器１０では、上部電極２２や半導体層２１、下部電極１１を含んでセンサ部１０３が構成されている。
【００６１】
層間絶縁膜１２、半導体層２１及び上部電極２２上には、上部電極２２に対応する一部で開口２７Ａを持ち、各半導体層２１を覆うように、塗布型の層間絶縁膜２３が形成されている。
【００６２】
この層間絶縁膜２３上には、バイアス線２５がＡｌ若しくはＣｕ、又はＡｌ若しくはＣｕを主体とした合金あるいは積層膜で形成されている。バイアス線２５は、開口２７Ａ付近にコンタクトパッド２７が形成され、層間絶縁膜２３の開口２７Ａを介して上部電極２２と電気的に接続される。
【００６３】
一方、図６に示すように、放射線検出器１０の放射線検知用の画素２０Ｂでは、ソース電極９とドレイン電極１３とが接触するようにＴＦＴスイッチ４が形成されている。すなわち、画素２０Ｂでは、ＴＦＴスイッチ４のソースとドレインが短絡している。これにより、画素２０Ｂでは、下部電極１１に収集された電荷がＴＦＴスイッチ４のスイッチング状態にかかわらず信号配線３に流れ出す。
【００６４】
このように形成された放射線検出器１０の表面には、シンチレータが備えられる。例えば、必要に応じてさらに光吸収性の低い絶縁性の材料により保護膜が形成されて、放射線検出器１０の表面に光吸収性の低い接着樹脂を用いてＧＯＳ等からなるシンチレータが貼り付けられる。また例えば、放射線検出器１０の表面にＣｓＩ等からなるシンチレータが直接蒸着される。なお、ＣｓＩは、支持体に蒸着した後に、放射線検出器１０の表面に光吸収性の低い接着樹脂を用いて貼り付けてもよい。
【００６５】
次に、上記構成の放射線画像検出器１００による放射線画像を撮影する際の動作の流れについて説明する。本実施の形態では、制御装置２０２からの指示に基づいて、制御部１０６の制御により放射線画像の撮影を行う。制御部１０６では、制御装置２０２から撮影指示を受け付けると、放射線画像撮影プログラムがＣＰＵにより実行されることにより以下の処理が実行される。当該処理全体の流れの一例のフローチャートを図７に示す。なお、当該放射線画像撮影プログラムは、予め、放射線画像検出器１００に記憶されていてもよいし、ＣＤ−ＲＯＭやＵＳＢ、制御装置２０２等の外部から供給されてもよい。
【００６６】
制御装置２０２から撮影指示を受け付けると制御部１０６は、ステップ１００で、信号検出回路１０５の増幅回路５０のアンプ５２の駆動を開始させ、連続的に駆動させる。これにより、制御部１０６は、放射線検知用画素２０Ｂから信号配線３に出力された電気信号（デジタル信号に変換された値、以下、単に電気信号という）を取得する。
【００６７】
次のステップ１０２では、取得した電気信号を予め定めた放射線の照射開始検出用の第一閾値と比較し、第一閾値以上となった否かにより放射線の照射が開始されたか否かの検出を行う。なお、制御部１０６による放射線の照射開始の検出は、放射線検知用の第一閾値以上となったか否かに限らず、例えば、第一閾値以上となった回数等、予め設定した条件に基づいて検出するようにしてもよい。電気信号が第一閾値未満である場合は、放射線の照射が開始されていないとして否定されて待機状態になる。一方、電気信号が第一閾値以上となった場合は、放射線の照射開始であるとし、肯定されてステップ１０３へ進む。
【００６８】
ステップ１０３では、放射線画像の撮影を開始させるために、走査配線駆動回路１０４に、ゲートオフ信号（ＴＦＴスイッチ４のゲートをオフ状態にする信号）となる駆動信号を出力させるように指示する。これにより、放射線画像撮影用画素２０Ａのセンサ部１０３では、放射線の照射に応じて発生した電荷の蓄積が開始される。一方、放射線検知用画素２０Ｂでは、ゲートオフ信号にかかわらず、放射線の照射に応じて発生した電荷を信号配線３に出力する。
【００６９】
次のステップ１０４では、制御部１０６は、放射線検知用画素２０Ｂから信号配線３に出力された電気信号の経時変化の取得を開始し、次のステップ１０６では、経時変化を取得するために予め定められた所定時間が経過したか否か判断する。所定時間が経過していない場合は電気信号の経時変化の取得を続ける。一方、所定時間が経過した場合は電気信号の経時変化の取得を停止して、ステップ１０８へ進む。なお、当該所定時間は、予め実験等によりノイズの検出に適切な時間が予め定められている。
【００７０】
ステップ１０８では、信号解析処理により、ノイズの有無、強度、及び発生期間を検出する。
【００７１】
ここで本実施の形態の信号解析処理について説明する前にまず、放射線画像撮影装置２０１（放射線画像検出器１００）において発生するノイズについて説明する。図８に、照射された放射線（放射線により発生した電気信号）の強度の時間変化の具体的一例を示す。一方、電気信号に現れるノイズには、大きくわけて、２種類のノイズが存在する。ノイズによる電気信号の波形が交流波（図９（Ａ）参照）である交流ノイズと、ノイズによる電気信号の波形が矩形波（図９（Ｂ）参照）である矩形ノイズである。交流ノイズは、他の電子機器等から発生する交流ノイズや、信号配線３や放射線検出器１０のケーブル配線等に衝撃が加わることで発生する衝撃ノイズが含まれる。図９（Ａ）は、強度が弱く、発生期間が短い交流ノイズを示している。一方、矩形ノイズは、放射線画像検出器１００のセンサ部１０３への圧力（圧電効果による電荷発生）や、センサ部１０３の温度上昇等の影響による暗電流の増加等により発生する矩形ノイズが含まれる。図９（Ｂ）は、強度が弱く、発生期間が短い矩形ノイズを示している。
【００７２】
以下では、具体的一例として、発生するノイズが交流ノイズである場合について詳細に説明するが、矩形ノイズにおいても同様であることはいうまでもない。
【００７３】
本実施の形態の信号解析処理の流れの具体的一例のフローチャートを図１０に示す。
【００７４】
ステップ２００では、電気信号の時間変化に対して微分処理を行う。なお、当該微分処理は、一般的な微分処理を行えばよい。具体的一例として、図１１には、微分処理を行う前の電気信号の強度の時間変化のプロファイルを示す。図１１（Ａ）には、ノイズが含まれていない、放射線の照射により発生した電荷のみに基づく電気信号の強度の時間変化を示す。また、図１１（Ｂ）には、強度が強く、かつ発生期間が短い交流ノイズが発生した場合に、図１１（Ａ）に示した電気信号に交流ノイズに起因する電気信号が加算された場合を示す。さらに、図１１（Ｃ）には、強度が強く、かつ発生期間が長い交流ノイズが発生した場合に、図１１（Ａ）に示した電気信号に交流ノイズに起因する電気信号が加算された場合を示す。
【００７５】
また、具体的一例として、図１２には、図１１に示した電気信号の経時変化を微分処理した電気信号の強度の時間変化のプロファイルを示す。図１２（Ａ）は、図１１（Ａ）に対応している。また、図１２（Ｂ）は、図１１（Ｂ）に対応している。さらに、図１２（Ｃ）は、図１１（Ｃ）に対応している。
【００７６】
本実施の形態では、ノイズの有無検出用の第二閾値、及びノイズの強度検出用の第三閾値が予め定められている。ステップ２０２では、微分処理した電気信号（以下、微分処理前のものと区別する必要がない場合は、単に電気信号という）の強度が第二閾値以下であるか否かを判断し、さらに次のステップ２０４では、電気信号の強度が第三閾値以下であるか否かを判断する。なお、第二閾値及び第三閾値は、正・負の両方の値が設定されており、微分処理した電気信号の強度が正・負の両方の値に到達した場合に、第二閾値または第三閾値を越えたと判断している。また、本実施の形態では、第二閾値＜第三閾値としている。
【００７７】
本実施の形態の信号解析におけるノイズの判定の具体的一例を図１３に示す。本実施の形態では、電気信号の強度が第二閾値以下の場合は、ノイズが発生していないことを検出する。一方、電気信号の強度が第二閾値を越えた場合は、ノイズが発生したこと検出する。さらに、ノイズの発生を検出した（電気信号の強度が第二閾値を越えた）場合に、第三閾値以下である場合は、発生したノイズの強度が弱いことを検出する。一方、第三閾値を越えた場合は、発生したノイズの強度が強いことを検出する。
【００７８】
また、本実施の形態の信号解析では、予め定められた単位時間内において、電気信号の強度が第三閾値を越えた回数に基づいて、ノイズの発生期間を検出する。本実施の形態では、電気信号の強度が第三閾値を越えた回数がｎ回未満の場合は、ノイズの発生期間が短いことを検出する。一方、電気信号の強度が第三閾値を越えた回数がｎ回以上の場合は、ノイズの発生期間が長いことを検出する。なお、上述の単位時間及び「ｎ」は、実験等により予め得ておけばよい。なお、本実施の形態では、第三閾値を越えた回数によりノイズの発生期間の長短を検出しているがこれに限らず、例えば、第二閾値を越えた回数により検出するようにしてもよい。
【００７９】
上述のステップ２０２で、電気信号が第二閾値以下である場合は、ノイズが発生していないことを検出したため、肯定されて本処理を終了する。一方、電気信号が第二閾値を越えた場合は、ノイズが発生したことを検出したため、否定されて、ステップ２０４へ進む。ステップ２０４では、電気信号が第三閾値以下である場合は、肯定されてステップ２０６へ進み、ノイズの強度が弱い、弱いノイズであることを検出して信号解析処理を終了する。一方、電気信号が第三閾値を越えた場合は、否定されてステップ２０８へ進み、ノイズの強度が強い、強いノイズであることを検出した後、ステップ２１０へ進む。
【００８０】
ステップ２１０では、電気信号が第三閾値以上になった回数が上述のｎ回以上であるか否かを判断する。ｎ回以上である場合は、肯定されてステップ２１２へ進み、ノイズの発生期間が長いことを検出して信号解析処理を終了する。一方、ｎ回未満である場合は、否定されてステップ２１４へ進み、ノイズの発生期間が短いことを検出して信号解析処理を終了する。
【００８１】
このようにして、信号解析処理（図７、ステップ１０８）が終了すると放射線画像検出器１００の制御部１０６では、ステップ１１０へ進む。ステップ１１０では、信号解析処理の結果に基づいて、放射線画像を表示させるか否かを判断する。なお、本実施の形態では、撮影された放射線画像は、制御部１０６から制御装置２０２へ出力され、制御装置２０２の表示部２１２に表示される。そのため、本実施の形態では、放射線画像を表示させないと判断した場合は、制御部１０６から制御装置２０２へ放射線画像が出力されない。
【００８２】
本実施の形態では、ノイズの発生を検出し、さらに、発生したノイズの強度が強く、かつ発生期間が長いことを検出した場合は、放射線画像を表示させないようにしている。そのため、信号解析処理により、発生したノイズの強度が強く、かつ発生期間が長いことを検出した場合は、否定されてステップ１１２へ進む。ステップ１１２では、強度が強く、かつ発生期間が長いノイズが発生したことを報知部１０８により、放射線画像を撮影するユーザに対して報知する。具体的一例として、本実施の形態では、報知部１０８がＬＥＤにより構成されている場合（図３（Ａ）参照）は、０．２秒間隔で点滅させて、ユーザに対して報知することにより強い警告を与える。また、報知部１０８がＬＥＤ及びスピーカにより構成されている場合は、ＬＥＤを０．１秒間隔で点滅させると共に、スピーカにより警告音を発生させてユーザに対して報知することにより強い警告を与えるようにしてもよい。なお、報知する方法は、これに限らず、後述する、弱いノイズや、発生期間の短いノイズの場合と区別できるものであれば特に限定されない。また、放射線画像検出器１００の報知部１０８に代わり、制御装置２０２の表示部２１２や報知部２１３等を用いてもよいし、放射線画像検出器１００及び制御装置２０２の両方を用いるようにしてもよい。また、本実施の形態では、強度が強く、かつ発生期間が長いノイズの場合は、放射線画像を表示（出力）させないため、制御装置２０２の表示部２１２に、その旨を表示させ、再撮影をユーザに促す旨を表示させるとよい。
【００８３】
上述のように報知されることにより、ユーザは、強度が強く、かつ発生期間が長いノイズの発生を認識できるため、放射線画像の撮影を停止し、適切に再撮影を行うことができる。具体的一例として、被検体２０６のポジショニングを解き、ノイズ源を確認して取り除いた後、被検体２０６を再度ポジショニングし、制御装置２０２に放射線画像の撮影を指示する。また、上述の報知によりユーザはノイズの発生を認識できたため、放射線画像が表示されないことに違和感を覚えることなく、再撮影を行うことができる。
【００８４】
なお、このように強度が強く、かつ発生期間が長いノイズの発生した場合は、制御装置２０２を介して、放射線照射装置２０４に放射線の照射を停止させるように指示してもよい。このようにすることにより、被検体２０６の被曝量を低減させることができる。
【００８５】
ユーザに報知を行った後のステップ１１４では、制御部１０６は、ゲートオン信号（ＴＦＴスイッチ４のゲートをオン状態にする信号）となる駆動信号を出力させるように指示して、放射線画像撮影用画素２０Ａのセンサ部１０３に蓄積された電荷をリセットさせた後、本処理を終了する。本実施の形態では、放射線画像の生成そのものを行わないため、このように放射線画像撮影用画素２０Ａに蓄積された電荷をリセットし、再撮影に備える。なお、ここでは、放射線画像撮影用画素２０Ａに蓄積された電荷をリセットするためにゲートオン信号を出力させるため、全ての放射線画像撮影用画素２０Ａ（走査配線１０１）に対して同時にオン信号を出力するようにすればよい。また、放射線画像撮影用画素２０Ａのセンサ部１０３に蓄積された電荷をリセットさせた後、ステップ１００のアンプ５２を連続的に駆動させた状態に戻るようにしてもよい。
【００８６】
一方、ノイズが発生していない場合、及びノイズが発生していていも強度が弱いノイズ、及び発生期間が短いノイズの少なくとも一方である場合は、放射線画像を表示（撮影）させるため、ステップ１１０で肯定されてステップ１１６へ進む。ステップ１１６では、ノイズが発生していたかを判断し、ノイズが発生していなかった場合は、否定されてステップ１２０へ進む。一方、強度が弱いノイズ、及び発生期間が短いノイズの少なくとも一方が発生していた場合は、肯定されてステップ１１８へ進み、強度が弱いノイズ、及び発生期間が短いノイズの少なくとも一方が発生したことを報知部１０８により、放射線画像を撮影するユーザに対して報知する。具体的一例として、本実施の形態では、報知部１０８がＬＥＤにより構成されている場合（図３（Ａ）参照）は、０．５秒間隔で点滅させて、ユーザに対して報知することにより警告を与える。また、報知部１０８がＬＥＤ及びスピーカにより構成されている場合は、スピーカにより警告音０．５秒間隔で発生させてユーザに対して報知することにより警告を与えるようにしてもよい。なお、報知する方法は、これに限らず、上述した、強度が強くかつ発生期間が長いノイズの場合と区別できるものであれば特に限定されない。また、上述と同様に、放射線画像検出器１００の報知部１０８に代わり、制御装置２０２の表示部２１２や報知部２１３等を用いてもよいし、放射線画像検出器１００及び制御装置２０２の両方を用いるようにしてもよい。
【００８７】
このように、報知されることにより、ユーザは、強度が弱いノイズ、及び発生期間が短いノイズの少なくとも一方が発生したことを放射線画像が表示される前に認識できるため、放射線画像が異常画像である場合に行う再撮影に備えることができる。具体的一例として、放射線画像の撮影後も被検体２０６のポジショニングをそのままに、被検体２０６に身体を動かさないよう指示し、表示された放射線画像を確認後に、すぐに再撮影を行うことができる。なお、確認した際に、放射線画像に現れた異常の程度が低く、例えば、所望の範囲外でおきた経度の画像ムラ等の場合は、再撮影を行わないようにしてもよい。
【００８８】
次のステップ１２０では、放射線画像の撮影のために予め定められた電荷の蓄積時間が経過したか否か判断する。経過していない場合は、否定されて待機状態になる。一方、経過した場合は、肯定されてステップ１２２へ進む。ステップ１２２では、画素２０（放射線画像撮影用画素２０Ａ）毎に、電気信号を取得する必要があるため、制御部１０６は、ゲートオン信号（ＴＦＴスイッチ４のゲートをオン状態にする信号）となる駆動信号を走査配線１０１毎に順次出力させるように指示して、放射線画像撮影用画素２０Ａのセンサ部１０３に蓄積された電荷に応じた電気信号を取得する。また、制御部１０６は、取得した電気信号に基づいて、放射線画像を生成する。次のステップ１２４では、生成した放射線画像を出力し、表示させるよう制御装置２０２に出力した後、本処理を終了する。
【００８９】
以上説明したように、本実施の形態の放射線画像撮影装置２０１では、放射線画像の撮影が指示されると、放射線画像検出器１００の制御部１０６で、放射線検知用画素２０Ｂから出力された電荷に応じた電気信号と、第一閾値とを比較して、第一閾値を越えた場合は、放射線の照射が開始されたことを検出する。放射線の照射が開始されると、制御部１０６は、放射線画像撮影用画素２０Ａのセンサ部１０３に電荷を蓄積させるよう制御すると共に、放射線検知用画素２０Ｂから出力された電荷に応じた電気信号の経時変化を取得する。さらに、制御部１０６は、取得した電気信号の経時変化を信号解析により微分処理して、第二閾値を越えた場合は、ノイズが発生したことを検出する。さらに、第三閾値を越えた場合は、発生したノイズの強度が強いことを検出する。またさらに、第三閾値を越えた回数がｎ回以上である場合に、ノイズの発生期間が長いことを検出する。発生したノイズの強度が強く、かつ発生期間が長い場合は、報知部１０８によりユーザに報知すると共に、放射線画像の生成及び表示（出力）を行わない。一方、強度が弱いノイズ及び発生期間が短いノイズの少なくとも一方である場合は、報知部１０８によりユーザに報知し、さらに、放射線画像を生成して、制御装置２０２の表示部２１２に表示させる。
【００９０】
従って、本実施の形態の放射線画像撮影装置２０１では、放射線画像の撮影の際にノイズの有無を適切に検出して報知することができる。
【００９１】
ここで、比較例として、上述した制御部１０６で行われる取得した電気信号の信号解析処理を行わず、すなわち、ノイズの有無の検出を行わず、さらに、報知部１０８を備えない放射線画像撮影装置により放射線画像の撮影を行った。この場合、上述した本実施の形態と異なり、ユーザは、放射線画像の撮影中にノイズが発生したことを、放射線画像が表示されるまで、認識することができないため、再度、被検体２０６のポジショニングからやりなおして再撮影を行わなければならなかった。また比較例として、上述した制御部１０６で行われる取得した電気信号の信号解析処理を行う（ノイズの有無の検出を行う）ものの、報知部１０８を備えない放射線画像撮影装置により放射線画像の撮影を行った。この場合、ユーザは、発生したノイズの強度が強く、かつ発生期間が長い場合は、放射線画像が表示されず、放射線画像撮影装置の故障と勘違いする場合があり、別の放射線画像撮影装置で再撮影を行う等の問題が生じた。また、強度が弱いノイズ及び発生期間が短いノイズの少なくとも一方である場合は、ユーザは、ノイズが発生したことを放射線画像が表示されるまで、認識することができないため、再度、被検体２０６のポジショニングからやりなおして再撮影を行わなければならなかった。
【００９２】
一方、本実施の形態では、上述のように、放射線画像の撮影の際にノイズの有無を適切に検出して報知することができるため、ユーザの負荷を軽減することができる。また、再撮影を行う場合は、速やかに再撮影を行うことができる。またさらに、放射線画像にノイズにより異常が発生しているか否かを認識することができるため、誤診の可能性を抑制することができる。
【００９３】
［第２の実施の形態］
次に、第２の実施の形態について説明する。
【００９４】
本実施の形態の画素２０及び放射線画像検出器１００は、第１の実施の形態と略同一の構成及び動作であるため、同一部分については、説明を省略する。本実施の形態の放射線画像検出器１００では、上述の信号解析処理（図１０参照）の一部が異なるため異なる処理のみここでは説明する。
【００９５】
本実施の形態の信号解析処理の一例のフローチャートを図１４に示す。本実施の形態では、第１の実施の形態で行った微分処理に代わり、電気信号の時間変化の移動平均の差分を用いている。そのため、ステップ３００では、電気信号の時間変化を移動平均する。さらに次のステップ３０１では、移動平均を現時点での電気信号から減算し、差分を算出する。具体的一例として、図１５には、図１１に示した電気信号の経時変化の移動平均の差分の強度の時間変化のプロファイルを示す。図１５（Ａ）は、図１１（Ａ）に対応している。また、図１５（Ｂ）は、図１１（Ｂ）に対応している。さらに、図１５（Ｃ）は、図１１（Ｃ）に対応している。
【００９６】
次のステップ３０２は、第１の実施の形態の信号解析処理のステップ２０２（図１０参照）に対応しており、差分と第二閾値とを比較する。また、次のステップ３０４は、第１の実施の形態の信号解析処理のステップ２０４（図１０参照）に対応しており、差分と第三閾値とを比較する。以下、本実施の形態の信号解析処理のステップ３０６〜ステップ３１４は、第１の実施の形態の信号解析処理のステップ２０６〜ステップ２１４にそれぞれ対応しており、同様の処理を行う。
【００９７】
このように、本実施の形態では、電気信号の時間変化の移動平均の差分を用いてノイズの発生の有無、強度、及び発生期間を検出するため、第１の実施の形態と同様に、本実施の形態の放射線画像撮影装置２０１では、放射線画像の撮影の際にノイズの有無を適切に検出して報知することができる。
【００９８】
［第３の実施の形態］
次に、第３の実施の形態について説明する。本実施の形態において、第１の実施の形態と略同一の構成及び動作については、説明を省略する。第１の実施の形態では、制御部１０６が各放射線検知用画素２０Ｂから各信号配線３に出力された電気信号を一括して、一つの電気信号として取得しているが、本実施の形態の放射線画像検出器１００は、各信号配線３（各増幅回路５０）毎に出力された電気信号を取得し、取得した各電気信号に対してノイズの有無を検出して報知するものとして構成している。
【００９９】
本実施の形態の放射線画像検出器１００の全体構成の一例を示す構成図を図１６に示す。本実施の形態では、各信号配線３毎に、放射線検知用画素２０Ｂが設けられている場合の放射線画像検出器１００の一例を示している。また、各信号配線３（Ｄ１〜Ｄ４）毎に出力された電気信号を区別するため、各々に接続されている信号検出回路１０５の増幅回路５０等を区別する際は、図１６に示すように増幅回路５０１〜５０４のように、個々を区別するための番号を付し、総称する場合は、単に増幅回路５０という。
【０１００】
本実施の形態の放射線画像検出器１００における放射線画像の撮影処理全体の流れの一例のフローチャートを図１７に示す。なお、本処理は、第１の実施の形態の放射線画像検出器１００における撮影処理全体（図７）と略同様のステップ（処理）を含んでいるため、略同様のステップ（処理）についてはその旨を記し、詳細な説明を省略する。
【０１０１】
本実施の形態の撮影処理のステップ４００〜ステップ４０３は、第１の実施の形態の撮影処理のステップ１００〜ステップ１０３（図７参照）にそれぞれ対応している。放射線画像の撮影を指示されると、増幅回路５０のアンプ５２の駆動を開始させ、取得した電気信号が第１閾値以上である場合は、放射線の照射が開始したと判断し、走査配線駆動回路１０４にゲートオフ信号を出力し、放射線画像撮影用画素２０Ａに電荷の蓄積を開始させる。
【０１０２】
次のステップ４０４では、第１の実施の形態の撮影処理のステップ１０４に対応しており、各信号配線３（増幅回路５０）に、放射線検知用画素２０Ｂから出力された電気信号の経時変化の取得を開始する。具体的に本実施の形態では、信号配線３（Ｄ１）に出力された電気信号を増幅回路５０１から取得する。同様に、信号配線３（Ｄ２）に出力された電気信号を増幅回路５０２から取得し、信号配線３（Ｄ３）に出力された電気信号を増幅回路５０３から取得し、信号配線３（Ｄ４）に出力された電気信号を増幅回路５０４から取得する。
【０１０３】
次のステップ４０６は、第１の実施の形態の撮影処理のステップ１０６に対応しており、所定時間が経過したか否か判断し、経過していない場合は各信号配線３毎に電気信号の経時変化を取得し続ける。一方、所定時間が経過した場合は、電気信号の経時変化の取得を停止して、ステップ４０８へ進む。
【０１０４】
ステップ４０８は、第１の実施の形態の撮影処理のステップ１０８に対応しており、信号解析処理により、各信号配線３（信号配線３が対応する領域）毎に、ノイズの有無、強度、及び発生期間を検出する。本実施の形態の信号解析処理の流れの具体的一例のフローチャートを図１８に示す。なお、本信号解析処理は、第１の実施の形態の信号解析処理（図１０参照）に対応しており、電気信号の時間変化に対して微分処理を行う場合について示しているが、第２の実施の形態の信号解析処理（図１４参照）のように、電気信号の時間変化の移動平均の差分を用いるようにしてもよい。
【０１０５】
本実施の形態の信号解析処理のステップ５００〜ステップ５１４は、ステップ５００で、各信号配線３毎に電気信号の時間変化を微分処理している他は、第１の実施の形態の信号解析処理のステップ２００〜ステップ２１４にそれぞれ対応した処理を行っている。１つの信号配線３の電気信号の時間変化を微分処理し、微分処理した電気信号（以下、単に電気信号という）の強度が第二閾値以下の場合は、ノイズが発生していないと判定してステップ５１５に進む。一方、第二閾値を超える場合は、ノイズが発生しているため、電気信号の強度を第三閾値と比較し、第三閾値以下の場合は、強度が弱いノイズと判定してステップ５１５へ進む。一方、第三閾値を超える場合は、強いノイズ判定し、さらにｎ回以上発生した場合は、発生期間が長いと判定し、ｎ回未満の場合は、発生期間が短いと判定してステップ５１５へ進む。
【０１０６】
ステップ５１５では、各信号配線３毎に、ノイズの有無、強弱、及び発生期間の長短を記憶する。なお、本実施の形態では、各信号配線３毎に対応する領域（信号配線３に電気信号が出力される画素２０により定められる領域）毎に、検出したノイズの有無、強弱、及び発生期間の長短を記憶する。
【０１０７】
次のステップ５１６では、全信号配線３について、ノイズの有無、強弱、及び発生期間の長短の検出及び記憶を終了したか否か判断する。終了していない場合は否定されてステップ５００に戻り、本信号解析処理を繰り返す。一方、終了した場合は肯定されて本信号解析処理を終了する。
【０１０８】
このようにして信号解析処理が終了すると放射線画像検出器１００の制御部１０６では、ステップ４１０へ進む。本実施の形態の撮影処理のステップ４１０では、上述の信号解析処理の処理結果に基づいて、強度が強くて、発生期間が長いノイズが発生した領域が有るか否かを判断する。強度が強く、かつ発生期間が長いノイズが発生した領域が無い場合は、否定され、放射線画像を表示させると判断してステップ４１６へ進む。一方、強度が強く、かつ発生期間が長いノイズが発生した領域が有る場合は、肯定されてステップ４１１へ進む。
【０１０９】
ステップ４１１では、発生した領域の数が第四閾値以上で有るか否かを判断する。第１の実施の形態及び第２の実施の形態では、検出したノイズの強度が強く、かつ発生期間が長い場合は、放射線画像を表示させないように制御していたが、本実施の形態では、ノイズの強度が強く、かつ発生期間が長い場合であっても、発生した領域の数が少ない場合は、放射線画像を表示させるように制御する。そのため、本実施の形態の放射線画像検出器１００では、画像表示の有無判断用の第四閾値が予め定められている。なお、第四閾値は、ノイズが視認しづらい領域数、視認しても支障が出づらい領域数等を予め実験等により得ておき、これに基づいて定めるようにしてもよいし、ユーザが設定するようにしてもよい。
【０１１０】
ステップ４１１で、領域数が第四閾値未満の場合は、否定されて放射線画像を表示させると判断してステップ４１６へ進む。一方、領域数が第四閾値以上の場合は、肯定されて放射線画像を表示させないと判断してステップ４１２へ進む。
【０１１１】
ステップ４１２は、第１の実施の形態の撮影処理のステップ１１２に対応しており、強度が強く、かつ発生期間が長いノイズを検出したことを報知部１０８により、ユーザに報知する。なお、ユーザに報知する方法は、第１の実施の形態と同様に報知するようにしてもよいが、ノイズを検出した領域を示すように報知することが好ましい。本実施の形態の放射線画像検出器１００では、ノイズを検出した領域を示すように報知できるように報知部１０８を設けている。図１９に、本実施の形態の放射線画像検出器１００（筐体１２０）の外観の一例を示す。なお、図１９（Ａ）は、報知部１０８がＬＥＤである場合を示しており、第１の実施の形態の図３（Ａ）に対応している。また、図１９（Ｂ）は、報知部１０８がスピーカである場合を示しており、第１の実施の形態の図３（Ｂ）に対応している。図１９に示すように、本実施の形態では、各領域に対応する位置に報知部１０８を設けておき、ノイズを検出した領域の位置に対応する報知部１０８を用いて、第１の実施の形態と同様にして、検出したノイズに関する報知をユーザに対して行う。図１９に示した放射線画像検出器１００（筐体１２０）では、報知部１０８１が信号配線３（Ｄ１）に応じた領域に対応し、報知部１０８２が信号配線３（Ｄ２）に応じた領域に対応し、報知部１０８３が信号配線３（Ｄ３）に応じた領域に対応し、報知部１０８４が信号配線３（Ｄ４１）に応じた領域にそれぞれ対応している。例えば、信号配線３（Ｄ１）に出力された電気信号及び信号配線３（Ｄ２）に出力された電気信号に、強度が強く、発生期間が長いノイズが発生したことを検出した場合は、報知部１０８１及び報知部１０８２により、強度が強く、発生期間が長いノイズを検出したことを示すよう報知する。
【０１１２】
次のステップ４１４は、第１の実施の形態の撮影処理のステップ１１４に対応しており、制御部１０６は、ゲートオン信号となる駆動信号を出力させるように指示して、放射線画像撮影用画素２０Ａに蓄積された電荷をリセットさせた後、本処理を終了する。
【０１１３】
一方、放射線画像を表示させると判断した場合のステップ４１６〜ステップ４２４は、第１の実施の形態の撮影処理のステップ１１６〜ステップ１２４にそれぞれ対応している。ノイズを検出した領域が有るか否かを判断し、ノイズを検出した領域が有る場合は、ノイズの検出及び検出した領域を報知する。なお、本実施の形態では、第１の実施の形態と同様に検出したノイズの種類（強度、長さ）に応じた報知を行うようにしている。また、上述のステップ４１２と同様に、検出した領域を示すよう報知する。
【０１１４】
放射線画像の撮影のための電荷の蓄積時間が経過すると、ゲートオン信号となる駆動信号を走査配線１０１毎に順次出力させるように指示し、放射線画像撮影用画素２０Ａに蓄積された電荷に応じた電気信号を取得し、取得した電気信号に基づいて放射線画像を生成する。本実施の形態のステップ４２４では、生成した放射線画像を制御装置２０２に出力すると共に、ノイズを検出した領域（ユーザに警告するためのアラーム領域）を示す情報を制御装置２０２に出力する。さらに、放射線画像及びアラーム領域に関する情報を表示させるよう制御装置２０２に出力した後、本処理を終了する。
【０１１５】
本実施の形態の制御装置２０２では、このようにして放射線画像検出器１００から出力された放射線画像及びアラーム領域に関する情報の表示の指示に基づいて、放射線画像を表示させる。図２０に、本実施の形態の制御装置２０２で実行される放射線画像の画像表示処理の一例のフローチャートを示す。なお、本実施の形態では、放射線画像の撮影が指示されると、制御装置２０２の制御部２１０において本処理が実行される。
【０１１６】
ステップ６００では、放射線画像（放射線画像を示す電気信号）が入力されたか否か判断する。まだ入力されていない場合は、否定されて待機状態になる。一方、上述の撮影処理のステップ４２４により、放射線画像が入力された場合は、肯定されてステップ６０２へ進む。ステップ６０２では、入力された放射線画像を表示部２１２に表示させる。本実施の形態における放射線画像の表示の具体的一例を図２１に示す。図２１に示すように、本実施の形態では、表示部２１２には、放射線画像６０と、アラーム領域を示すアラーム領域表示部６２（６２１〜６２４）と、ユーザが表示されている放射線画像に対して画像処理の実行を指示するための指示部６４と、指示部６６と、を表示させている。
【０１１７】
放射線画像６０は、放射線画像検出器１００から入力された放射線画像に対応している。図２１では、ノイズＮが含まれる放射線画像６０が表示された場合を示している。アラーム領域表示部６２は、入力されたアラーム領域の位置をユーザに認識可能に表示させることができれば、特に限定されない。本実施の形態では、具体的一例として、図２１に示すように、各領域に対応してアラーム領域表示部６２１〜アラーム領域表示部６２４が設けられており、アラーム領域が点灯または点滅するように構成している。図２１では、信号配線３（Ｄ２）に対応する領域のノイズ（ノイズＮ参照）を検出発生したためアラーム領域となっており、アラーム領域表示部６２２を点灯させた場合を示している。
【０１１８】
指示部６４は、表示されている放射線画像６０に対してノイズＮを除去するための画像処理を実行（詳細後述）するようにユーザが指示する場合に用いられる。また、指示部６６は、ユーザが放射線画像６０の表示の終了を指示する場合に用いられる。
【０１１９】
放射線画像６０を表示させると次のステップ６０４では、アラーム領域が有るか否かを判断する。無い場合は、否定されてステップ６１４へ進む。一方、アラーム領域が有る場合は、肯定されてステップ６０６へ進む、ステップ６０６では、アラーム領域表示部６２により、アラーム領域を表示させる（図２１参照）。
【０１２０】
次のステップ６０８では、ノイズＮを除去するための画像処理を実行するか否か判断する。指示部６４を介してユーザから画像処理の実行を指示されていない場合は、否定されてステップ６１４へ進む。一方、画像処理の実行を指示された場合は、肯定されてステップ６１０へ進む。ステップ６１０では、放射線画像６０（放射線画像６０に対応する画像情報）に対して、ノイズＮを除去するための画像処理を実行する。なお、当該画像処理は特に限定されず、予め実験等により、ノイズＮを除去するのに適切なフィルタ処理等を定めておけばよい。次のステップ６１２では、画像処理後の放射線画像６０を表示部２１２に表示させる。
【０１２１】
次のステップ６１４では、放射線画像６０の表示を終了するか否か判断する。指示部６６を介してユーザから終了を指示されていない場合は、否定されてステップ６０８へ進み、本処理を繰り返す。一方、終了を指示された場合は、肯定されてステップ６１６へ進む。ステップ６１６では、放射線画像６０（放射線画像６０に対応する画像情報）と、アラーム領域に関する情報とを対応づけて記憶させた後、本処理を終了する。なお、記憶させる放射線画像６０は、ステップ６１０の画像処理前のものであってもよいし、画像処理後のものでもよい。また、記憶させる場所は、制御装置２０２内の図示を省略したメモリ等の記憶部であってもよいし、制御装置２０２（放射線画像撮影装置２０１）外部の記憶部であってもよい。
【０１２２】
このように本実施の形態では、制御部１０６が、各信号配線３（各増幅回路５０）毎に出力された電気信号を取得し、取得した各電気信号に対してノイズの有無、強度、及び発生期間の長さを検出しているため、ユーザに対して、ノイズを検出した位置（領域）を認識させることができる。また、本実施の形態では、ノイズを検出した領域の数に応じて放射線画像６０を表示させており、領域の数が少ない場合は、放射線画像６０を表示させる。検出した領域の数が少ない場合は、再撮影を行うよりも放射線画像６０の表示を優先させ、放射線画像６０をユーザに確認させることができるため、再撮影の負荷を軽減することができる。
【０１２３】
［第４の実施の形態］
次に、第４の実施の形態について説明する。本実施の形は、第３の実施の形態と略同一の構成及び動作であるため、同一部分については、説明を省略する。第３の実施の形態では、ノイズを検出した領域（アラーム領域）の数が少ない場合は、放射線画像６０を表示させるように制御しているが、本実施の形態の放射線画像検出器１００では、アラーム領域の位置に応じて、放射線画像６０を表示させるように制御するものとして構成している。
【０１２４】
本実施の形態の放射線画像検出器１００における放射線画像の撮影処理全体の流れの一例のフローチャートを図２２に示す。なお、本処理は、第３の実施の形態の放射線画像検出器１００における撮影処理全体（図１７）と略同様のステップ（処理）を含んでいるため、略同様のステップ（処理）についてはその旨を記し、詳細な説明を省略する。
【０１２５】
本実施の形態の撮影処理のステップ７００〜ステップ７２４は、第３の実施の形態の撮影処理のステップ４００〜ステップ４２４（図１７参照）にそれぞれ対応している。本実施の形態では、ステップ７１１の処理が第３の実施の形態の撮影処理のステップ４１１と異なるため、当該処理について詳細に説明する。
【０１２６】
ステップ７１０で強度が強く、かつ発生期間が長いノイズを検出した領域が有ると判断した場合のステップ７１１では、ノイズを検出した領域の位置が放射線画像６０の中央であるか否か判断する。本実施の形態で放射線画像６０の中央とは、放射線画像６０に応じた領域、または、ユーザにより設定された領域により予め定められている。一般に、ユーザが観察等を行いたい関心領域等の重要な画像は、放射線画像６０の中央付近に表示される。一方、放射線画像６０の周辺は、重要な画像が表示される場合が少なく、当該周辺となる領域にノイズが発生していても問題とならない場合が多い。そのため、本実施の形態では、このように重要な画像が表示される放射線画像６０の中央を予め実験等により得ておくか、またはユーザにより設定しておく。放射線画像６０の中央に強度が強く、かつ発生期間が長いノイズを検出した場合は、当該放射線画像６０を表示させないよう制御する。一方、強度が強く、かつ発生期間が長いノイズであっても、周辺（中央を除いた領域）に発生した場合は、ノイズを検出したことを報知してユーザに警告すると共に、放射線画像６０の表示を行うように制御する。
【０１２７】
なお、ユーザが上述した放射線画像６０の中央を設定する場合は、例えば、図２１に示したアラーム領域表示部６２と共に、各アラーム領域に対応して指示部を設けて、ノイズが発生していてもよい位置、またはノイズが発生していてはいけない位置をユーザが指示可能に構成するとよい。なお、本実施の形態では、説明の便宜上「中央」としているが、ユーザが放射線画像６０の全領域（具体的には、全アラーム領域）を設定し、ノイズが発生している領域の位置にかかわらず、放射線画像６０を表示させるように設定できることはいうまでもない。救急用等、緊急で放射線画像６０の表示が必要な場合は、このように、ノイズの種類や位置等にかかわらず、放射線画像６０の表示を優先させることが好ましい。
【０１２８】
ステップ７１１でノイズが発生した領域の位置が放射線画像６０の中央であると判断した場合は、ステップ７１２へ進み、放射線画像６０を表示させないと判断したステップ７１２以降の処理を行う。一方、中央ではないと判断した場合は、ステップ７１６へ進み、放射線画像６０を表示させると判断したステップ７１６以降の処理を行う。放射線画像６０を表示させる場合は、第３の実施の形態と同様に、検出したノイズの種類（強弱、長さ）、及びアラーム領域をユーザが認識可能となるように放射線画像６０を制御装置２０２の表示部２１２に表示させるよう指示した後、本処理を終了する。
【０１２９】
このように本実施の形態では、制御部１０６が、強度が強く、かつ発生期間が長いノイズを検出した場合は、ノイズを検出した領域の位置に応じて放射線画像６０を表示させるよう制御するため、ノイズを検出した領域が重要な画像が表示される領域ではない場合、放射線画像６０の表示を優先させることができる。また、ユーザに対して、ノイズを検出した位置（領域）を認識させることができる。さらに本実施の形態では、ノイズの検出に関わらず、放射線画像６０の表示を優先させることができる。
【０１３０】
なお、上記第３の実施の形態及び第４の実施の形態を組み合わせて、強度が強くかつ発生期間が長いノイズが発生した領域の数及び位置に応じて放射線画像６０を表示させるか否か制御するようにしてもよい。また、上記第３の実施の形態及び第４の実施の形態と同様にして、検出したノイズの強度が弱い場合や、発生期間が短い場合であっても、領域の数及び位置に応じて放射線画像６０を表示させるか否か制御するようにしてもよい。
【０１３１】
また、上記第３の実施の形態及び第４の実施の形態では、各信号配線３（増幅回路５０）毎に、電気信号の経時変化を取得していたがこれに限らず、複数（所定数）の信号配線３（増幅回路５０）毎に、電気信号の経時変化を取得し、複数の信号配線３に対応する領域に対して、上述の制御処理を行うようにしてもよい。
【０１３２】
また、上記第３の実施の形態及び第４の実施の形態の放射線画像検出器１００では、図１６に示したように、各信号配線３毎に放射線検知用画素２０Ｂが設けられていたが、第１の実施の形態の放射線画像検出器１００（図２参照）のように、一部の信号配線３に放射線検知用画素２０Ｂが設けられている場合であっても、放射線検知用画素２０Ｂが設けられた信号配線３毎に、上述の制御処理を行うようにすればよい。
【０１３３】
［第５の実施の形態］
次に、第５の実施の形態について説明する。本実施の形態において、上述の実施の形態と略同一の構成及び動作については、説明を省略する。本実施の形態の放射線画像検出器１００では、放射線の照射開始の検出方法が上述の実施の形態と異なるため、放射線の照射開始の検出方法について説明する。
【０１３４】
本実施の形態の放射線画像検出器１００では、バイアス線２５に流れる電荷を検出器７０で検出し、検出した電荷と閾値とに基づいて、放射線の照射開始を制御部１０６で検出する。本実施の形態の放射線画像検出器１００の全体構成の一例を示す構成図を図２３に示す。また、本実施の形態の放射線画像検出器１００の全体構成のその他の一例を示す構成図を図２４に示す。図２３に示した放射線画像検出器１００では、バイアス線２５のうち、バイアス線２５Ａに検出器７０が接続されており、バイアス線２５Ａに流れる電荷を検出器７０で検出し、制御部１０６が検出した電荷と閾値とに基づいて放射線の照射開始を検出する。一方、図２４に示した放射線画像検出器１００では、各バイアス線２５毎に検出器７０（７０１〜７０４）が設けられており、各バイアス線２５に流れる電荷を各検出器７０で検出し、制御部１０６が検出した電荷と閾値とに基づいて放射線の照射開始を検出する。なお、図２４に示した放射線画像検出器１００のように、各バイアス線２５毎に、検出器７０を設ける方が、各領域に応じて判断を行うことができ検出精度が向上するため、好ましい。
【０１３５】
本実施の形態の放射線の照射開始の検出方法について説明する。なお、本実施の形態では、第１の実施の形態の撮影処理における、放射線の照射開始を検出するためのステップ１００及びステップ１０２（図７参照）の処理以外は、略同様の処理を行うため説明を省略する。
【０１３６】
本実施の形態の放射線の照射開始検出処理の一例のフローチャートを図２５に示す。
【０１３７】
ステップ８００では、全ての走査配線１０１にゲートオフ信号を出力するよう走査配線駆動回路１０４に指示する。これにより、走査配線駆動回路１０４から各画素２０にゲートオフ信号が出力され、全画素２０のＴＦＴスイッチ４がオフ状態になる。
【０１３８】
次のステップ８０２では、検出器７０でバイアス線２５を流れる電気信号（電荷）を検出し、次のステップ８０４では、検出した電気信号が第五閾値以上であるか否かを判断する。なお、第五閾値は、予め実験等により、放射線の照射開始用の閾値として得ておけばよい。また、放射線画像検出器１００が図２４に示すように、バイアス線２５毎に検出器７０が設けられている場合は、所定数以上の検出器７０で検出した電気信号が第五閾値以上となったか否かを判断してもよいし、全ての検出器７０で検出した電気信号が第五閾値以上となったか否かを判断してもよい。いずれとするかは放射線画像検出器１００の使用や撮影に応じて予め定めておけばよく、特に限定されない。
【０１３９】
電気信号が第五閾値未満の場合は、否定されてステップ８０６へ進む。ステップ８０６では、電荷リセットのための所定時間が経過したか否か判断する。本実施の形態の場合、ゲートオフ信号により、ＴＦＴスイッチ４がオフ状態であるため、全画素２０に電荷が蓄積された状態にある。蓄積された電荷をリセットしないと、ノイズに起因する電気信号の増加や、ダイナミックレンジが小さくなり、放射線画像の画質が低下する。そのため、本実施の形態では、所定時間毎に、画素２０に蓄積された電荷をリセットするように制御している。なお、当該所定時間は、放射線画像検出器１００や画素２０に応じて、予め実験等により得ておけばよい。
【０１４０】
所定時間が経過していない場合は、否定されてステップ８０２へ戻り本処理を繰り返す。一方、所定時間が経過した場合は、肯定されてステップ８０８へ進む。ステップ８０８では、一旦、検出器７０による放射線の照射開始の検出動作を中断し、全ての走査配線１０１にゲートオン信号を出力するよう走査配線駆動回路１０４に指示する。当該指示により、全画素２０に蓄積された電荷をリセットさせるよう駆動させる。電荷のリセット後、ステップ８００に戻り、再び、放射線の照射開始の検出動作を開始させる。
【０１４１】
一方、ステップ８０４で電気信号が第五閾値以上である場合は、肯定されてステップ８１０へ進み、放射線の照射開始を検出し、本処理を終了する。
【０１４２】
このように本実施の形態では、走査配線１０１にゲートオフ信号を出力した状態で、バイアス線２５に流れる電荷（電気信号）を検出器７０で検出し、電気信号と第五閾値とを比較して第五閾値以上の場合に、放射線の照射開始を検出する。これにより、走査配線１０１にゲートオン信号を出力（ＴＦＴスイッチ４のオン動作）に起因するノイズ（例えば、フィードスルーノイズ）が発生しないため、Ｓ／Ｎ比を向上させることができる。
【０１４３】
［第６の実施の形態］
次に、第６の実施の形態について説明する。本実施の形態において、上述の実施の形態と略同一の構成及び動作については、説明を省略する。本実施の形態の放射線画像検出器１００では、放射線の照射開始の検出方法が上述の実施の形態と異なるため、放射線の照射開始の検出方法について説明する。
【０１４４】
本実施の形態の放射線画像検出器１００では、画素２０からリークする電流（電荷）と、閾値とに基づいて、放射線の照射開始を制御部１０６で検出する。本実施の形態の放射線画像検出器１００の全体構成の一例を示す構成図を図２６に示す。
【０１４５】
本実施の形態の放射線の照射開始の検出方法について説明する。なお、本実施の形態では、第１の実施の形態の撮影処理における、放射線の照射開始を検出するためのステップ１００及びステップ１０２（図７参照）の処理以外は、略同様の処理を行うため説明を省略する。
【０１４６】
本実施の形態の照射開始検出処理の一例のフローチャートを図２７に示す。
【０１４７】
ステップ９００では、第５の実施の形態の放射線の照射開始検出処理と同様に、全ての走査配線１０１にゲートオフ信号を出力するよう走査配線駆動回路１０４に指示する。当該指示により、走査配線駆動回路１０４から各画素２０にゲートオフ信号が出力され、全画素２０のＴＦＴスイッチ４がオフ状態になる。
【０１４８】
次のステップ９０２では、信号検出回路１０５の増幅回路５０（アンプ５２）の駆動を開始させ、連続的に駆動させる。画素２０のＴＦＴスイッチ４がオフ状態であっても、放射線の照射に応じて、リーク電流が発生し、各信号配線３には、リーク電流に応じた電荷（電気信号）が流れ、増幅回路５０（アンプ５２）によりサンプリングされる。次のステップ９０４では、制御部１０６が、増幅回路５０によりサンプリングされた電荷に応じた電気信号を第六閾値以と比較し、第六閾値以上となった否かにより放射線の照射が開始されたか否かの検出を行う。なお、第六閾値は、予め実験等により、放射線の照射開始用の閾値として得ておけばよい。
【０１４９】
電気信号が第六閾値未満の場合は、否定されてステップ９０６へ進む。ステップ９０６では、電荷リセットのための所定時間が経過したか否か判断する。本実施の形態の場合、第５の実施の形態と同様に、ゲートオフ信号により、ＴＦＴスイッチ４がオフ状態であるため、全画素２０に電荷が蓄積された状態にある。そのため、蓄積された電荷をリセットしないと、ノイズに起因する電気信号の増加や、ダイナミックレンジが小さくなることにより、放射線画像の画質が低下する。そのため、本実施の形態では、所定時間毎に、画素２０に蓄積された電荷をリセットするように制御している。なお、当該所定時間（一般的に、第５の実施の形態の「所定時間」と異なる）は、放射線画像検出器１００や画素２０に応じて、予め実験等により得ておけばよい。
【０１５０】
所定時間が経過していない場合は、否定されてステップ９０４へ戻り本処理を繰り返す。一方、所定時間が経過した場合は、肯定されてステップ９０８へ進む。ステップ９０８では、一旦、検出器７０による放射線の照射開始の検出動作を中断し、全ての走査配線１０１にゲートオン信号を出力するよう走査配線駆動回路１０４に指示する。当該指示により、全画素２０に蓄積された電荷をリセットさせるよう駆動させる。電荷のリセット後、ステップ９００に戻り、再び、放射線の照射開始の検出動作を開始させる。
【０１５１】
一方、ステップ９０４で電気信号が第六閾値以上である場合は、肯定されてステップ９１０へ進み、放射線の照射開始を検出し、本処理を終了する。
【０１５２】
このように本実施の形態では、走査配線１０１にゲートオフ信号を出力した状態で、各画素２０から信号配線３に流れるリーク電流に応じた電気信号を増幅回路５０でサンプリングし、サンプリングした電気信号と第六閾値とを比較して第六閾値以上の場合に、放射線の照射開始を検出する。これにより、駆動方法の変更だけで、放射線の照射開始を検出できるため、放射線の照射開始を検出するための構成を設ける必要がなく、例えば特殊なＴＦＴスイッチ４の設計や、追加回路等を設ける必要がない。
【０１５３】
［第７の実施の形態］
次に、第７の実施の形態について説明する。本実施の形態において、上述の実施の形態と略同一の構成及び動作については、説明を省略する。本実施の形態の放射線画像検出器１００では、放射線の照射開始の検出方法が上述の実施の形態と異なるため、放射線の照射開始の検出方法について説明する。
【０１５４】
本実施の形態の放射線画像検出器１００では、各画素２０が、複数のＴＦＴスイッチ４を備え、放射線の照射開始の検出と、放射線画像の撮影の場合とで、使用するＴＦＴスイッチ４を変更するよう制御する。本実施の形態の放射線画像検出器１００の全体構成の一例を示す構成図を図２８に示す。
【０１５５】
図２８に示すように、本実施の形態の放射線画像検出器１００の各画素２０は、２つのＴＦＴスイッチ４（４Ａ、４Ｂ）を備えている。ＴＦＴスイッチ４Ａは、走査配線１０１（Ｇ１Ａ、Ｇ２Ａ、Ｇ３Ａ、Ｇ４Ａ）を流れる駆動信号によって駆動され、放射線画像を生成するための電荷をセンサ部１０３から読み出す際にオン状態に駆動される。一方、ＴＦＴスイッチ４Ｂは、走査配線１０１（Ｇ１Ｂ、Ｇ２Ｂ、Ｇ３Ｂ、Ｇ４Ｂ）を流れる駆動信号によって駆動され、放射線の照射開始を検出する際にセンサ部１０３から電荷を読み出す際にオン場外に駆動される。放射線画像撮影用画素２０Ａでは、ＴＦＴスイッチ４Ａは、信号配線３に接続されているが、ＴＦＴスイッチ４Ｂは、信号配線３に接続されていない。また、放射線検知用画素２０Ｂでは、ＴＦＴスイッチ４Ａ及びＴＦＴスイッチ４Ｂの両方が信号配線３に接続されている。
【０１５６】
本実施の形態の撮影処理について説明する。なお、本実施の形態では、第１の実施の形態の撮影処理（図７参照）と略同様のステップ（処理）を含んでいるため、略同様のステップ（処理）についてはその旨を記し、詳細な説明を省略する。本実施の形態の放射線画像検出器１００における撮影処理全体の流れの一例のフローチャートを図２９に示す。
【０１５７】
ステップ１０００では、ＴＦＴスイッチ４Ａをリセット駆動するための駆動信号を出力するよう走査配線駆動回路１０４に指示すると共に、ＴＦＴスイッチ４Ｂに駆動信号（ゲートオン信号）を出力するよう走査配線駆動回路１０４に指示する。
【０１５８】
以下、ステップ１００１〜ステップ１０２４は、第１の実施の形態の撮影処理のステップ１００〜ステップ１２４にそれぞれお対応している。ステップ１００１は、第１の実施の形態の撮影処理のステップ１００に対応しており、信号検出回路１０５の増幅回路５０（アンプ５２）の駆動を開始させ、連続的に駆動させる。これにより、放射線検知用画素２０Ｂからは、ＴＦＴスイッチ４Ｂにより電荷が読み出されて放射線の照射に応じた電気信号が信号配線３に流れ、増幅回路５０（アンプ５２）によりサンプリングされる。なお、放射線画像撮影用画素２０Ａでは、ＴＦＴスイッチ４Ｂが信号配線３に接続されていないため、ＴＦＴスイッチ４Ｂにゲートオン信号が印加されているのにかかわらず、ＴＦＴスイッチ４Ｂにより電気信号が信号配線３に読み出されることがない。
【０１５９】
次のステップ１００２では、制御部１０６が、増幅回路５０によりサンプリングされた電荷に応じた電気信号を第七閾値以と比較し、第七閾値以上となった否かにより放射線の照射が開始されたか否かの検出を行う。なお、第七閾値は、予め実験等により、放射線の照射開始用の閾値として得ておけばよい。
【０１６０】
電気信号が第七閾値未満の場合は、否定されて待機状態になる。一方、第七閾値以上の場合は、放射線の照射開始を検出したため、肯定されてステップ１００３へ進む。ステップ１００３では、ＴＦＴスイッチ４Ａ、及びＴＦＴスイッチ４Ｂにゲートオフ信号を出力し、各画素２０による電荷の蓄積を開始させる。電荷の蓄積開始後、ノイズを検出するためのステップ１００４〜ステップ１０１８は、第１の実施の形態のステップ１０４〜ステップ１１８と略同様の処理である。電気信号の経時変化に基づいて、ノイズの有無、強弱、及び発生期間を検出し、検出結果に基づいて、検出結果の表示、及び放射線画像の表示を行う。なお、本実施の形態では、放射線画像を表示させない場合（強度が強くて発生期間が長いノイズを検出した場合）のステップ１０１４では、ＴＦＴスイッチ４Ａ及びＴＦＴスイッチ４Ｂの両方に対してゲートオン信号を出力させ、画素２０に蓄積された電荷をリセットさせる。
【０１６１】
また、放射線画像を撮影するためのステップ１０２０〜ステップ１０２４は、第１の実施の形態のステップ１２０〜ステップ１２４と略同様の処理である。蓄積時間が経過すると、順次、画素２０から電荷を読み出す。なお、この際本実施の形態では、ＴＦＴスイッチ４Ａに対してゲートオン信号を出力させて、ＴＦＴスイッチ４Ａにより蓄積された電荷に応じた電気信号を信号配線３に読み出させる。本実施の形態では、この際、放射線画像撮影用画素２０Ａ及び放射線検知用画素２０Ｂの両方の画素２０から、電荷が読み出される。制御部１０６は、取得した電気信号に基づいて、放射線画像を生成する。さらに、生成した放射線画像を表示させるよう制御装置２０２に出力した後、本処理を終了する。
【０１６２】
このように本実施の形態では、各画素２０が放射線画像撮影用のＴＦＴスイッチ４Ａと、放射線の照射開始検出用のＴＦＴスイッチ４Ｂとを備えている。放射線の照射開始を検出する際は、放射線検知用画素２０ＢからＴＦＴスイッチ４Ｂにより信号配線３に出力された電気信号に基づいて放射線の照射開始を検出する。また、放射線画像を撮影する際は、放射線画像撮影用画素２０Ａ及び放射線検知用画素２０ＢのＴＦＴスイッチ４Ａにより信号配線３に出力された電気信号を取得して、放射線画像を生成する。これにより、放射線の照射開始を検出する際は、上述の第６の実施の形態において説明したリーク電流を用いる場合に比べて、信号強度を大きくすることができるため、Ｓ／Ｎ比が改善される。また、実際に放射線の照射を開始されてから照射開始を検出するまでの放射線のロス時間を小さくすることができるため、リセット駆動による電荷のロスを無視することができる。また、放射線画像撮影用画素２０Ａ及び放射線検知用画素２０Ｂから読み出された電荷（電気信号）により放射線画像を生成することができるため、放射線検知用画素２０Ｂが欠陥画素とならず、放射線画像に画像欠陥が生じるのを抑制することができる。
【０１６３】
なお、本実施の形態では、全ての画素２０がＴＦＴスイッチ４Ａ及びＴＦＴスイッチ４Ｂを備えるように構成したが、これに限らず、放射線検知用画素２０Ｂが両方のＴＦＴスイッチ４（４Ａ、４Ｂ）を備えていればよい。なお、全画素２０がＦＴスイッチ４Ａ及びＴＦＴスイッチ４Ｂを備える方が、放射線画像検出器１００の製造等の観点から好ましい。
【０１６４】
なお、上述した各実施の形態では、ノイズに関する検出を放射線画像検出器１００の制御部１０６で行っているがこれに限らず、例えば、制御装置２０２の制御部２１０で行ってもよい。
【０１６５】
また、上述した各実施の形態では各閾値を用いてノイズに関する検出を行っているがこれに限らず、例えば、電気信号の波形や、所定期間のピーク間の時間等に基づいて検出するようにしてもよい。また、また、上述した各実施の形態では、電気信号の微分処理や、移動平均との差分により信号解析を行っているがこれに限らず、その他の信号解析処理を行ってもよい。なお、微分処理は、分離能が高く、例えば、放射線の照射タイミングとノイズの発生タイミングとが重なった場合であっても適切に分離できるため、微分処理を行うことが好ましい。
【０１６６】
また、放射線の照射開始の検出は、上述の実施の形態に限らず、放射線の照射開始を検出する構成であれば、特に限定されない。例えば、別個、放射線検知用の画素２０を備えるようにしてもよいし、放射線画像撮影用画素２０Ａのうち、一部を用いるようにしてもよい。また、上述の実施の形態では、第一の閾値との比較により検出を行っていたが、これに限らず、放射線の照射開始条件として予め定められた条件を満たすか否かにより検出を行えばよく、特に限定されない。
【０１６７】
また、上述した各実施の形態では、制御装置２０２の表示部２１２に放射線画像を表示させる場合について説明したがこれに限らず、例えば、制御装置２０２以外の外部の表示装置等に表示させるようにしてもよい。
【０１６８】
また、上述した各実施の形態では、間接変換方式の場合について説明したがこれに限らず、放射線を直接、半導体層で電荷に変換して蓄積する直接変換方式の場合に適用してもよい。この場合、直接変換方式における放射線検知素子は、放射線が照射されることにより電荷を発生する。
【０１６９】
その他、本実施の形態で説明した放射線画像検出器１００、放射線検出器１０等の構成、動作等は一例であり、本発明の主旨を逸脱しない範囲内において状況に応じて変更可能であることは言うまでもない。
【０１７０】
また、本実施の形態では、本発明の放射線は、特に限定されるものではなく、Ｘ線やγ線等を適用することができる。
【符号の説明】
【０１７１】
４  ＴＦＴスイッチ、４Ａ  放射線画像撮影用のＴＦＴスイッチ、４Ｂ  放射線の照射開始検出用のＴＦＴスイッチ
１０  放射線検出器
２０  画素、２０Ａ  放射線画像撮影用画素、２０Ｂ  放射線検知用画素２０Ｂ
７０  検出器
１００  放射線画像検出器
１０３  センサ部
１０４  走査配線駆動回路
１０５  信号検出回路
１０６、２１０  制御部
１０８、２１３  報知部
２００  放射線画像撮影システム
２０１  放射線画像撮影装置
２０２  制御装置
２０４  放射線照射装置
【図１】
0006034209.tif 000002
【図２】
0006034209.tif 000003
【図３】
0006034209.tif 000004
【図６】
0006034209.tif 000005
【図７】
0006034209.tif 000006
【図８】
0006034209.tif 000007
【図９】
0006034209.tif 000008
【図１０】
0006034209.tif 000009
【図１３】
0006034209.tif 000010
【図１４】
0006034209.tif 000011
【図１６】
0006034209.tif 000012
【図１７】
0006034209.tif 000013
【図１８】
0006034209.tif 000014
【図１９】
0006034209.tif 000015
【図２０】
0006034209.tif 000016
【図２１】
0006034209.tif 000017
【図２２】
0006034209.tif 000018
【図２３】
0006034209.tif 000019
【図２４】
0006034209.tif 000020
【図２５】
0006034209.tif 000021
【図２６】
0006034209.tif 000022
【図２７】
0006034209.tif 000023
【図２８】
0006034209.tif 000024
【図２９】
0006034209.tif 000025
【図４】
0006034209.tif 000026
【図５】
0006034209.tif 000027
【図１１】
0006034209.tif 000028
【図１２】
0006034209.tif 000029
【図１５】
0006034209.tif 000030